(57)【要約】【課題】  被施療部を素早く芯から温めることができ、マッサージ効果を向上できるマッサージ機を提供することである。【解決手段】  人体当接面に、人体に物理的刺激を与えてマッサージするマッサージ具を具え、人体当接面には、人体に超短波を投射するアンテナを配備したものである。具体的には、人体当接面として人体の脚部を収納する脚収納部３２と足先を収納する足先収納部４２を具え、マッサージ具として、空気の供給排気により膨張収縮して脚部や足先を押圧するエアバック３４、４４を具え、脚収納部及び足先収納部の内側面に、周波数として、27.12メガヘルツの超短波を投射するアンテナ６０、６１を配備する。【選択図】    図３
2007259882.tif 000002
【特許請求の範囲】
【請求項１】
人体当接面に、人体に物理的刺激を与えてマッサージするマッサージ具を具えたマッサージ機において、前記当接面には、人体に投射することにより温熱効果を発揮する電波を発信するアンテナを配備してなるマッサージ機。
【請求項２】
前記人体当接面として、人体の脚部を収納する脚収納部及び／又は踵から先端を収納する足先収納部を具え、前記マッサージ具として、脚収納部及び／又は足先収納部に空気の供給排気により膨張収縮して脚部や足先を押圧するエアバックを具えたもので、脚収納部及び／又は足先収納部の内側面に、前記アンテナを配備してなる請求項1に記載のマッサージ機。
【請求項３】
前記脚収納部を椅子の座部前端に連結し、椅子の背凭れ部には肩、背中、腰にマッサージを施すマッサージ具を配備し、座部の下方に超短波発生装置を配備してなる請求項２に記載のマッサージ機。
【請求項４】
前記アンテナは、電波として超短波を人体に投射する請求項１乃至請求３のいずれかに記載のマッサージ機。
【請求項５】
前記超短波の周波数を27.12メガヘルツとしてなる請求項４に記載のマッサージ機。
【発明の詳細な説明】
【技術分野】
【０００１】
本発明は、人体当接面に、人体の被施療部に物理的刺激（例えば叩く、揉む、圧迫する、指圧する）を与えてマッサージするマッサージ具を具えたマッサージ機に関し、より具体的には、人体の被施療部を温めることができるマッサージ機に関するものである。
【背景技術】
【０００２】
人体の被施療部に、叩く、揉む、圧迫する、指圧する等の物理的刺激を与えてマッサージするマッサージ機で、血行を促進してマッサージ効果を向上させるために、被施療部を温めることができるマッサージ機として、特許文献１に示すように、ヒータでもって被施療部を温めるものや、特許文献２に示すように、温風でもって温めるものが知られている。
【特許文献１】特開２００５−２３７７２５号公報
【特許文献２】特開平１０−１１８１４９号公報
【発明の開示】
【発明が解決しようとする課題】
【０００３】
ヒータや温風で被施療部を温める方法は、熱を皮膚から体内に伝えて体を温める方法であり、皮膚組織でエネルギーが吸収されるため、皮膚表面から0.5ｍｍ〜3.0ｍｍ程度の深さまでしか温熱は浸透しない。また熱源の応答性が悪く、熱が皮膚へ伝達し人が温かく感じるまでの応答性が悪いという問題があった。
【０００４】
本発明の目的は、被施療部を素早く体の芯から温めることができ、マッサージ効果を向上できるマッサージ機を提供することである。
【課題を解決するための手段】
【０００５】
上記課題を解決するために、本発明のマッサージ機は、人体当接面に、人体に物理的刺激を与えてマッサージするマッサージ具を具えたマッサージ機において、前記当接面には、人体に投射することにより温熱効果を発揮する電波を発信するアンテナを配備したものである。
【０００６】
例えば、人体当接面として人体の脚部を収納する脚収納部及び／又は踵から先端を収納する足先収納部を具え、マッサージ具として、脚収納部及び／又は足先収納部に、空気の供給排気により膨張収縮して脚部や足先を押圧するエアバックを具えたもので、脚収納部及び／又は足先収納部の内側面に、前記アンテナを配備したものを例示できる。
また電波としては、周波数、27.12メガヘルツの超短波を例示できる。
【発明の効果】
【０００７】
本発明のマッサージ機によれば、被施療部に温熱効果を発揮する電波を投射することにより、電波のエネルギーが体内の奥深くまで作用して、被施療部を芯から温める温熱効果が得られ、血管が拡張して血行促進が図られ、マッサージ効果が向上して、凝りの解消、疲労回復効果が向上する。しかも温熱効果を得るまでの時間は短く即効性を向上できる。
【発明を実施するための最良の形態】
【０００８】
以下、本発明のマッサージ機を、一例として示した椅子式マッサージ機について説明する。図１及び図２は、椅子式マッサージ機１０の斜視図である。椅子式マッサージ機１０は、被施療者が腰掛ける座部１１の後部に背凭れ部１２、前部にレッグレスト３０、レッグレスト３０下端にフットレスト４０を具えて構成される。背凭れ部１２は、座部１１に対して傾動可能且つ任意の位置で位置決め可能に連結される。レッグレスト３０は、座部１１の前端に上下に回動自在に且つ任意の位置で位置決め可能に連結される。また、フットレスト４０は、レッグレスト３０に回動自在に連結される。フットレスト４０はレッグレスト３０の回動にもかかわらず、略水平状態を保ちながら持ち上げられる。図２は最も持ち上げられた状態を示す。前記座部１１、背凭れ部１２、レッグレスト３０、フットレスト４０で人体当接面を構成する。
【０００９】
背凭れ部１２には、被施療者の肩、背中、腰をマッサージする公知のマッサージ具１５が背凭れ部１２に沿って昇降可能に配備される。マッサージ具１５は、左右に一対の施療指１６、１６を具え、両施療指１６、１６を上下、左右及び／又は前後に移動させることによって、被施療者の肩等に揉みや叩きなどのマッサージを施す。背凭れ部１２や座部１１は、図示しないが布製のカバーやクッションで覆われている。
【００１０】
レッグレスト３０は、図１及び図２に示すように、樹脂製カバー３５により被施療者の左右の脚部（ふくらはぎ）を夫々収納する脚収納部となる一対の樋状凹部３２、３２が形成されている。各樋状凹部３２の両側面には、膨張することによりふくらはぎを側面から押圧するマッサージ具としての側面エアバック３４が配備されている。側面エアバック３４は、配管を通して図示しないエアポンプに接続され、空気が供給されて膨張し、排出されて収縮する。
【００１１】
樋状凹部３２、３２の底面上には、ふくらはぎを後側から押圧するマッサージ具としての３個の底面エアバック３７、３７、３７が、樋状凹部３２の軸方向に沿って並んで配備されている。各底面エアバック３７には、指圧突部３７ａが溶着されている。底面エアバック３７も、配管を通して図示しないエアポンプに接続され、空気が供給されて膨張し、排出されて収縮する。レッグレスト３０は、布カバー３９（図３において網目で示す）により覆われている。図１、図２、では布カバーを除いている。
【００１２】
上記構成のレッグレスト３０において、被施療者が凹部３２にふくらはぎを挿入した状態で、側面エアバック３４にエアポンプから圧縮空気の供給と排気を繰り返すことにより、ふくらはぎは側面エアバック３４、３４による圧迫と解放を繰り返し、ふくらはぎに対しマッサージが施される。また底面エアバック３７に対しエアポンプから圧縮空気を供給することにより膨張して、指圧突部３７ａによりふくらはぎの裏面を押圧し指圧マッサージを施す。
【００１３】
フットレスト４０は、図１及び図２に示すように、樹脂製カバー４５により被施療者の左右の足先（踝よりも下の踵から先の部分）を夫々挿入する足先収納部となる一対の樋状凹部４２、４２が形成されている。各樋状凹部４２の両側面には、膨張することにより足先を側面から押圧するマッサージ具としての側面エアバック４４、４４が配備されている。側面エアバック４４は、配管を通して図示しないエアポンプに接続され、空気が供給されて膨張し、排出されて収縮する。
【００１４】
樋状凹部４２、４２の底面の裏側には、足裏を押圧するマッサージ具としての足裏用エアバック４７が配備されている。足裏用エアバック４７の上面には、足裏を指圧する２個の指圧突部４７ａが図３の如く左右方向に並んで溶着されている。足裏用エアバック４７も、配管を通して図示しないエアポンプに接続され、空気が供給されて膨張し、排出されて収縮する。膨張すると、指圧突部４７ａが、樋状凹部４２の底面に開口した穴（図示せず）から突出し、足裏を指圧する。フットレスト４０も、布カバー３９により覆われている。なお、図３に示すように、足裏用エアバック４７が収縮した状態でも、指圧突部４７ａは僅かばかり樋状凹部４２、４２の底面より突出している。４４ａは、側面エアバック４４の空気の供給、排出口、４７ｂは、足裏用エアバック４７の空気の供給、排出口である。
【００１５】
上記構成のフットレスト４０において、被施療者が凹部４２に足先を挿入した状態で、側面エアバック４４にエアポンプから圧縮空気の供給と排気を繰り返すことにより、足先は側面エアバック４４、４４による圧迫と解放を繰り返し、マッサージが足先に対し施される。また足裏用エアバック４７に対しエアポンプから圧縮空気を供給することにより膨張して、指圧突部４７ａにより足裏を押圧し指圧マッサージを施す。
【００１６】
図３においては、レッグレスト３０の側面エアバック３４は収縮し、フットレスト４０の側面エアバック４４は膨張した状態を示す。なお、二点鎖線は、ふくらはぎや足先を示す。
【００１７】
而して  レッグレスト３０の各樋状凹部３２、３２の外側の側面３２ａの内側には、電波として、超短波を人体に向かって投射するアンテナとなる導子６０が、側面３２ａに沿って配備されている。また、フットレスト４０の各樋状凹部４２、４２の外側の側面４２ａの内側にも、超短波を人体に向かって投射するアンテナとなる導子６１が、側面４２ａに沿って配備されている。各導子６０、６１は鉄等の金属板より構成され、図４の配線図に示すように、超短波発生装置６２に接続されている。超短波発生装置６２は、図１に示すように、座部１１の下方に配備されている。超短波発生装置６２は、27.12メガヘルツの超短波を発生し、超短波は各導子６０、６１に伝送線６４を介して送られ、導子より超短波を発信する。
【００１８】
レッグレスト３０の樋状凹部３２とフットレスト４０の樋状凹部４２に、ふくらはぎや足先を挿入して各エアバック３４、３７、４４、４７により、上述したマッサージをふくらはぎや足先に施すとき、超短波発生装置６２を動作して、導子６０、６１より、超短波をふくらはぎや足先に投射すると、超短波のエネルギーが体内の奥深くまで作用し、細胞の分子を振動させ、このとき発生する分子同士の摩擦熱により、ふくらはぎや足先を芯から温める。その結果、血管が拡張して血行促進が図られ、エアバックによるマッサージと相俟って、マッサージ効果を向上させることができ、凝りの解消、疲労回復効果が向上する。しかも温熱効果を得るまでの時間は短く、従来のヒータや温風によるものに比べて即効性を著しく向上できる。超短波の投射時間は、通常のマッサージ機の使用時間である１５分程度である。
【００１９】
各エアバック３４、３７、４４、４７によるマッサージを行わずに、超短波発生装置６２のみを動作しても、超短波による温熱効果により、血行を良くし、疲労回復効果が得られる。
【００２０】
超短波を発信する導子は、座部１１や背凭れ部１２にも配備して、大腿部や臀部、腰、肩等を温めてもよい。図１や図２のように、ふくらはぎや足先を温めると、温められた血液が上半身へと流れるので、ふくらはぎや足先のみならず、全身に対しても温熱効果が得られ、有利である。
【００２１】
超短波発生装置６２の電子部品や回路基板等は、超短波が外部へ洩れないように、鉄板や銅のメッシュでシールドされていると共に、マッサージ機本体の電子部品や回路基板に対しても、超音波の影響を受けないように、シールドしておくとよい。図１のように、レッグレスト３０やフットレスト４０の側面エアバック３４や４４に沿うように導子６０、６１を配備すれば、超短波の影響を受ける電子部品や金属部品が近くにないので、この点からもレッグレスト３０やフットレスト４０に導子を配備すると有利である。
【００２２】
以上の説明では、電波として周波数27.12メガヘルツの超短波を人体に投射することにより温熱効果を得ようとするものであるが、この周波数の超短波以外に、温熱効果を発揮する電波であれば、周波数は特に限定されない。例えば、13.56メガヘルツ、40.68メガヘルツ、2.4ギガヘルツの超短波や、極超短波を例示できる。
【００２３】
また導子は、レッグレスト３０やフットレスト４０の樋状凹部３２、４２の外側の側面３２ａ、４２ａの内側に配備したが、樋状凹部３２、４２の内側の側面３２ｂ、４２ｂの内側に配備してもよいし、樋状凹部３２、４２の内外（左右）両側面の内側に配備してもよい。
【００２４】
以上の実施例では、レッグレスト３０やフットレスト４０が椅子の座部１１の前端に連結した椅子式マッサージ機について説明したが、レッグレストやフットレストが椅子とは独立した足専用のマッサージ機であってもよい。
【００２５】
以下、足専用のマッサージ機について説明する。図５は足専用のマッサージ機100の斜視図で、足専用マッサージ機100は、踝より下の足先をマッサージするフットレスト７０と、フットレスト７０の基端に連結機構９０を介して傾動可能且つスライド可能に連携され、ふくらはぎをマッサージするレッグレスト８０を具えている。レッグレスト８０は、傾動ロッド９４に沿って上下動する。
【００２６】
レッグレスト８０は、樹脂製カバー８２によって、図１の実施例と同様に、被施療者の左右の脚部（ふくらはぎ）を夫々収納する脚収納部となる一対の樋状凹部８３、８３が形成されている。樋状凹部８３、８３間は、中央壁８４で仕切られている。各樋状凹部８３の両側面には、膨張することによりふくらはぎを側面から押圧するマッサージ具としての側面エアバック８５（図６参照）が配備されている。側面エアバック８５は、図示しないエアポンプに接続され、空気が供給されて膨張し、排出されて収縮する。樋状凹部８３の内面は、布カバー８２ａで覆われている。
【００２７】
フットレスト７０も、樹脂製カバー７２によって、図１の実施例と同様に、被施療者の左右の足先を夫々収納する足先収納部となる一対の樋状凹部７３、７３が形成されている。樋状凹部７３、７３間は、中央壁７４で仕切られている。各樋状凹部７３の両側面には、膨張することにより足先を側面から押圧するマッサージ具としての側面エアバック７５（図６参照）が配備されている。側面エアバック７５は、図示しないエアポンプに接続され、空気が供給されて膨張し、排出されて収縮する。樋状凹部７３の内面は、布カバー７２ａで覆われている。各樋状凹部７３の後端には立ち壁７１が上向きに突設され、この立ち壁７１に踵の部分が合致して、足先が樋状凹部７３に位置決めされる。
【００２８】
レッグレスト８０の各樋状凹部８３、８３の外側の側面８３ａの内側には、図１の実施例と同様に、超短波を人体に向かって投射する導子６０が、側面８３ａに沿って配備されている。また、フットレスト７０の各樋状凹部７３、７３の外側の側面７３ａの内側にも、図１の実施例と同様に、超短波を人体に向かって投射する導子６１が、側面７３ａに沿って配備されている。(図６参照）
上記構成のレッグレスト８０やフットレスト７０の樋状凹部８３、７３にふくらはぎや足先を挿入した状態で（図６でふくらはぎや足先を２点鎖線で示す）、側面エアバック８５、７５の膨張収縮を繰り返すことにより、ふくらはぎに対しマッサージが施され、また、超短波発生装置（図示せず）を動作して、導子６０、６１より、超短波をふくらはぎや足先に投射することにより、図１の実施例と同様に、ふくらはぎや足先を芯から温め、血管を拡張して血行を促進し、エアバックによるマッサージと相俟って、マッサージ効果を向上させることができる。
【００２９】
この足専用のマッサージ機は、図５のように、レッグレスト８０をフットレスト７０に対してほぼ垂直な状態にして椅子に座って使用する他に、図７のように、寝転んで膝を立てた状態で、レッグレスト８０をフットレスト７０に対して後方に傾動させて使用することもできる。
【００３０】
導子６０、６１の配備する位置は、樋状凹部８３、７３の内側の側面８３ｂ、７３ｂの内側に配備してもよいし、樋状凹部８３、７３の内外（左右）両側面の内側に配備してもよく、また樋状凹部８３、７３の底面に、図１の実施例と同様に、ふくらはぎの裏面や足裏を押圧するエアバックを配備してもよい。
【００３１】
ところで、この足専用マッサージ機は、図６に示すように、本体の底面には、２個のエアバック７７Ｌ、７７Ｒが左右に分かれて配備されている。このエアバック７７Ｌ、７７Ｒは、上記エアバック８５、７５と同様に、図示しないエアポンプに接続され、空気が供給されて膨張し、排出されて収縮する。７７ａは各エアバック７７Ｌ、７７Ｒの空気供給、排気口を示す。本体の底面には床面に設置するための脚７８がコーナー付近に４個設けてあるが、各エアバック７７Ｌ、７７Ｒの収縮状態では、エアバック７７Ｌ、７７Ｒは、脚７８よりも上方に保たれ、床面に当接しないようになっている。  
【００３２】
そこで、レッグレスト８０やフットレスト７０の樋状凹部８３、７３にふくらはぎや足先を挿入し、側面エアバック８５、７５を膨張して、ふくらはぎや足先を側面エアバック８５、７５により挟持ホールドした状態で、図８のように被施療者から見て右側の底面のエアバック７７Ｒ膨張させると、ふくらはぎや足先がレッグレスト８０やフットレスト７０に固定されたまま右側の脚が持ち上げられ、相対的に見ると上半身（腰）が同図矢印Ａの如く右へ傾くことになり、その結果、左側の腰部Ｋを伸ばすことができる。反対に、図９のように被施療者から見て左側の底面のエアバック７７Ｌ膨張させると、ふくらはぎや足先がレッグレスト８０やフットレスト７０に固定されたまま左側の脚が持ち上げられ、相対的に見ると上半身（腰）が同図矢印Ｂの如く左へ傾くことになり、その結果、右側の腰部Ｋを伸ばすことができる。図８、図９では、ふくらはぎと足先に続いて、腰部Ｋを２点差線で示している。
【００３３】
この底面のエアバック７７Ｌ、７７Ｒの膨張を左右交互に繰り返すことにより、左右の腰部に対して交互にストレッチを施すことができる。
【００３４】
左右の腰部に対してストレッチを施す際、ふくらはぎと足先の両方を、側面エアバック８５、７５により挟持ホールドしたが、側面エアバック８５のみ膨張させてふくらはぎのみ挟持ホールドしても、また、側面エアバック７５のみ膨張させて足先のみ挟持ホールドしても同様の効果が得られる。
【００３５】
従来腰部をストレッチするものとして、特開２０００-５１３００公報にみられるように、椅子に座って腰部のエアバックを膨張させるものが知られているが、これでは脚部のマッサージができない。しかしながら上述のように、足専用のマッサージ機の底面を、エアバックにより左右交互に持ち上げることにより腰部のストレッチを行なうようにすれば、足専用マッサージ機の利用価値を高めることができる。またストレッチの方法が視覚的にダイナミックであるため、展示実演の際に注目を惹くことができる。
【００３６】
足専用のマッサージ機の底面を、持ち上げる手段としては、エアバックの他に、マッサージ機本体を、モータの駆動源によって左右に揺動するシーソー板上に設置する構成であってもよい。
【００３７】
以上の足専用のマッサージ機は、本体を左右に揺動させて腰部のストレッチを行なうものであるが、本体の底面のエアバック７７Ｌ、７７Ｒを左右に分けて配置するのではなく、前後に分けて配置してもよい。この場合、前側のエアバックを膨張させることにより、アキレス腱からふくらはぎの裏側のストレッチができ、後側のエアバックを膨張させることにより、足の甲やふくらはぎの前側の筋をストレッチすることができる。
【００３８】
また、足専用のマッサージ機本体の底面に４個のエアバックを左右と前後に分けて配置してもよい。この場合、左側の前後２個のエアバックを膨張させることにより、腰部の右側をストレッチでき、右側の前後２個のエアバックを膨張させることにより、腰部の左側をストレッチでき、前側の左右２個のエアバックを膨張させることにより、アキレス腱からふくらはぎの裏側のストレッチができ、後側の左右２個のエアバックを膨張させることにより、足の甲やふくらはぎの前側の筋をストレッチすることができる。
【００３９】
なお、足専用マッサージ機としては、ふくらはぎをマッサージするレッグレストがなくて、足先をマッサージするフットレストのみを具えたものでもよい。
【図面の簡単な説明】
【００４０】
【図１】本発明の第１実施例の椅子式マッサージ機の斜視図である。
【図２】同マッサージ機のレッグレストとフットレストを持ち上げた状態の斜視図である。
【図３】同マッサージ機のレッグレストとフットレストを示す図１の状態の正面図である。
【図４】同マッサージ機の超短波発生装置に関する配線図である。
【図５】本発明の第２実施例の足専用マッサージ機の斜視図である。
【図６】同マッサージ機の正面図である。
【図７】同マッサージ機を寝転んで使用する状態を示す側面図である。
【図８】同マッサージ機により腰部のストレッチを行なっている状態を示す正面図である。
【図９】同マッサージ機により腰部のストレッチを行なっている状態を示す正面図である。
【符号の説明】
【００４１】
１１    座部（人体当接面）
１２    背凭れ部（人体当接面）
３０    レッグレスト（人体当接面）
４０    フットレスト（人体当接面）
３４    側面エアバック（マッサージ具）
４４    側面エアバック（マッサージ具）
３７    底面エアバック（マッサージ具）
４７    足裏用エアバック（マッサージ具）
３２    樋状凹部（脚収納部）
４２    樋状凹部（足先収納部）
６０    導子（アンテナ）
６１    導子（アンテナ）
６２    超短波発生装置
８０    レッグレスト（人体当接面）
７０    フットレスト（人体当接面）
８３    樋状凹部（脚収納部）
７３    樋状凹部（足先収納部）
８５    側面エアバック（マッサージ具）
７５    側面エアバック（マッサージ具）
【図１】
2007259882.tif 000003
【図２】
2007259882.tif 000004
【図３】
2007259882.tif 000005
【図４】
2007259882.tif 000006
【図５】
2007259882.tif 000007
【図６】
2007259882.tif 000008
【図７】
2007259882.tif 000009
【図８】
2007259882.tif 000010
【図９】
2007259882.tif 000011